(57)【要約】【課題】  ＣＣＤカメラ等で撮影した画像から、特定波長帯のレーザー光を抽出する際に、設定により所望の波長帯のレーザー光を抽出できるとともに、製造が容易でかつ製造コストを低減することが可能な画像処理装置及び当該画像処理装置を利用した空間内面形状の計測装置を提供する。【解決手段】  画像処理装置は、物体に照射され、当該物体から反射してきた可視光線であるレーザー光の光像を撮像する撮像手段２１０と、撮像手段２１０により撮像したレーザー光の光像をＲＧＢ画像として認識するＲＧＢ画像認識手段２２０と、認識したＲＧＢ画像を色相、彩度、明度に変換するＨＳＶ変換手段２３０と、変換した明度に対して、特定の波長帯にあるレーザー光を抽出するためのフィルタ関数を適用するフィルタ手段２４０とを備える。空間内面形状の計測装置は、画像処理装置を利用して空間内面形状を計測する。【選択図】図１
2020112844.tif 000002
【特許請求の範囲】
【請求項１】
撮影画像に含まれる可視光線であるレーザー光から特定波長帯のレーザー光を抽出するための画像処理装置であって、
物体に照射され、当該物体から反射してきた可視光線であるレーザー光の光像を撮像する撮像手段と、
撮像手段により撮像したレーザー光の光像をＲＧＢ画像として認識するＲＧＢ画像認識手段と、
認識したＲＧＢ画像を色相、彩度、明度に変換するＨＳＶ変換手段と、
変換した明度に対して、特定の波長帯にあるレーザー光を抽出するためのフィルタ関数を適用するフィルタ手段と、
を備えたことを特徴とする画像処理装置。
【請求項２】
前記フィルタ関数は、ガウジアンフィルタを実現するための関数であることを特徴とする請求項１に記載の画像処理装置。
【請求項３】
空間内面に対して円環状にレーザー光を照射する照射部と、前記照射部と離隔して設けられ、前記空間内面に形成されたレーザー光像を撮像面に結像させる結像レンズと、前記撮像面に結像したレーザー光像を画像データとして出力する撮像素子とを有する測定手段と、
前記測定手段の位置及び向きを検出する位置検出手段と、
前記測定手段及び前記位置検出手段を一体に収容するとともに、前記測定手段で測定に用いるレーザー光を透過可能な収容手段と、
計測対象となる空間に対して、前記収容手段を移動させる移動手段と、
前記測定手段及び前記位置検出手段からの検出信号を受信して演算処理を行うことにより空間内面の形状を求める形状演算手段と、
を備え、
前記測定手段は、前記孔壁内面に対して円環状にレーザー光を照射する照射部と、
前記孔壁内面に形成されたレーザー光の光像を撮影する撮像部と、
を含み、
前記形状演算手段における形状演算において、物体に可視光線であるレーザー光を照射して、当該物体から反射してきたレーザー光の光像を撮像する撮像手段と、撮像手段により撮像したレーザー光の光像をＲＧＢ画像として認識するＲＧＢ画像認識手段と、認識したＲＧＢ画像を色相、彩度、明度に変換するＨＳＶ変換手段と、変換した明度に対して、特定の波長帯にあるレーザー光を抽出するためのフィルタ関数を適用するフィルタ手段とを備えた画像処理装置により画像処理を行う、
ことを特徴とする空間内面形状の計測装置。
【発明の詳細な説明】
【技術分野】
【０００１】
本発明は、画像処理装置及びこれを利用した空間内面形状の計測装置に関するものであり、詳しくは、ＣＣＤカメラ等で撮影した画像から、特定波長帯のレーザー光を抽出するための画像処理装置及び当該画像処理装置を利用した空間内面形状の計測装置に関するものである。
【背景技術】
【０００２】
ＣＣＤカメラ等で撮影した画像から、特定波長帯のレーザー光を抽出するためには、光の波長帯の一部を選択的に透過し、その他の全ての波長帯の透過を遮断するバンドパスフィルタやレーザーラインフィルタを用いる。これらのフィルタは、特定のレーザー光を抽出することができるため、蛍光顕微鏡や分光解析、臨床化学やイメージングを始めとする様々なアプリケーションに用いられている。
【０００３】
従来のバンドパスフィルタやレーザーラインフィルタは、基本的に屈折率の異なる物質を層状に重ね合わせることで、特定の波長帯以外を反射する光学用フィルタレンズである。このため、対象とする波長帯の範囲や透過率等が特殊な場合には、その使用用途に合わせた光学用フィルタを個別に準備・製作しなければならず高額となってしまう。また、異なる波長帯のレーザー光を抽出するためには、各波長帯に合わせた光学用フィルタを複数準備する必要もある。例えば、外乱光が問題となるような状況下であっても、良好な信号雑音比を有する光切断画像を生成することが可能な形状測定装置及び形状測定方法が提案されている（特許文献１参照）。
【０００４】
特許文献１に記載された技術は、光を反射又は放射している被測定物の表面に対して、線状のレーザー光を照射するレーザー光源と、当該被測定物の表面でのレーザー光による光切断線を撮像して、光切断画像を生成する撮像装置とを有する測定装置と、測定装置により生成された光切断画像に対して画像処理を実施して、被測定物の形状を算出する演算処理装置とを備えている。
【０００５】
そして、撮像装置は、光切断線の像を撮像素子へと結像させる像側テレセントリックレンズと、像側テレセントリックレンズと撮像素子との間に配設される、所定のバンド幅を有する光学バンドパスフィルタとを有している。
【先行技術文献】
【特許文献】
【０００６】
【特許文献１】特開２０１７−２０８７６号公報
【発明の概要】
【発明が解決しようとする課題】
【０００７】
上述したように、使用用途に合わせた光学用フィルタを個別に準備・製作するには、コストが増大するだけではなく、制作期間も長期化するという問題があった。そこで、ＣＣＤカメラ等で撮影した画像から、特定波長帯のレーザー光を抽出する際に、レンズ系による光学処理ではなく、演算処理により所望の波長帯のレーザー光を容易に抽出するための技術の開発が望まれている。
【０００８】
また、本願の出願人は、コンクリート構造物の耐震補強等を行う際に、既設コンクリートに対して削孔を行い、孔壁内面を目粗し処理した後に、補強鉄筋の挿入及び充填材の注入を行う際に、孔壁内面の目粗し状態を確認する際に使用するための計測装置を開発している（特許第６１３８６０２号）。この孔壁内面形状の計測装置は、目粗し処理の状態を計測するために、削孔装置のコアチューブの先端部分に、削孔ビットや目粗しビットに代えて測定手段を取り付ける。そして、測定手段により、孔壁内面に対して円環状のレーザー光を発射して、孔壁内面に形成されたレーザー光の光像を撮影することにより、レーザー光の光像の径を計測するようになっている。
【０００９】
この孔壁内面形状の計測装置では、レーザー光を用いて孔壁内面形状を計測しているが、レーザー光のリングビームのみを撮影しなければならず、暗所での計測を前提としていたため、レーザー光以外の可視光線が存在する明るい場所での計測には不向きであった。このため、明るい場所であっても、特定波長帯のレーザー光を抽出することが可能な技術を開発した。
【００１０】
なお、特許文献１に記載された技術は、測定環境については何ら考慮されておらず、その示唆もない。
【００１１】
本発明は、上述した事情に鑑み提案されたもので、ＣＣＤカメラ等で撮影した画像から、特定波長帯のレーザー光を抽出する際に、設定により所望の波長帯のレーザー光を抽出できるとともに、製造が容易でかつ製造コストを低減することが可能な画像処理装置及び当該画像処理装置を利用した空間内面形状の計測装置を提供することを目的とする。
【課題を解決するための手段】
【００１２】
本発明に係る画像処理装置及びこれを利用した空間内面形状の計測装置は、上述した目的を達成するため、以下の特徴点を有している。すなわち、本発明に係る画像処理装置は、撮影画像に含まれる可視光線であるレーザー光から特定波長帯のレーザー光を抽出するための画像処理装置に関するものである。
【００１３】
この画像処理装置は、物体に照射され、当該物体から反射してきた可視光線であるレーザー光の光像を撮像する撮像手段と、撮像手段により撮像したレーザー光の光像をＲＧＢ画像として認識するＲＧＢ画像認識手段と、認識したＲＧＢ画像を色相、彩度、明度に変換するＨＳＶ変換手段と、変換した明度に対して、特定の波長帯にあるレーザー光を抽出するためのフィルタ関数を適用するフィルタ手段とを備えたことを特徴とするものである。
【００１４】
また、上述した画像処理装置において、フィルタ関数は、ガウジアンフィルタを実現するための関数であることが好ましい。
【００１５】
本発明に係る空間内面形状の計測装置は、上述した画像処理装置を利用して、空間内面形状を計測するための計測装置に関するものである。
【００１６】
すなわち、本発明に係る空間内面形状の計測装置は、空間内面に対して円環状にレーザー光を照射する照射部と、照射部と離隔して設けられ、空間内面に形成されたレーザー光像を撮像面に結像させる結像レンズ（広角レンズ）と、撮像面に結像したレーザー光像を画像データとして出力する撮像素子とを有する測定手段と、測定手段の位置及び向きを検出する位置検出手段と、測定手段及び位置検出手段を一体に収容するとともに、測定手段で測定に用いるレーザー光を透過可能な収容手段と、計測対象となる空間に対して、収容手段を移動させる移動手段と、測定手段及び位置検出手段からの検出信号を受信して演算処理を行うことにより空間内面の形状を求める形状演算手段とを備えている。また、測定手段は、孔壁内面に対して円環状にレーザー光を照射する照射部と、孔壁内面に形成されたレーザー光の光像を撮影する撮像部とを備えている。
【００１７】
そして、形状演算手段における形状演算において、物体に可視光線であるレーザー光を照射して、当該物体から反射してきたレーザー光の光像を撮像する撮像手段と、撮像手段により撮像したレーザー光の光像をＲＧＢ画像として認識するＲＧＢ画像認識手段と、認識したＲＧＢ画像を色相、彩度、明度に変換するＨＳＶ変換手段と、変換した明度に対して、特定の波長帯にあるレーザー光を抽出するためのフィルタ関数を適用するフィルタ手段とを備えた画像処理装置により画像処理を行うことを特徴とするものである。
【発明の効果】
【００１８】
本発明に係る画像処理装置によれば、ＣＣＤカメラ等で撮影したＲＧＢ画像をＨＳＶ（色相・彩度・明度）に変換し、その明度（Ｖ）に対して設定したフィルタ関数を適用することにより、特定の波長帯にあるレーザー光以外の部分は暗くなり、画像から特定の波長帯にあるレーザー光のみを抽出することが可能となる。
【００１９】
すなわち、ＣＣＤカメラ等で撮影した画像に対して演算によるフィルタ処理を行うため、従来のような高額な光学用フィルタレンズを準備する必要がない。また、フィルタ関数の範囲（設定値）を変えるだけで、任意の波長帯のレーザー光を抽出することが可能であるため、汎用性が高い。さらに、従来の光学用フィルタでは、特定の波長以外の部分の情報（画像）を取得することは出来なかったが、本発明に係る画像処理装置ではレーザー光周辺の情報（画像）も取得することが可能である。
【００２０】
また、ガウジアンフィルタを実現するためのフィルタ関数を使用することにより、レーザー光とその他の部分の境界線部分が滑らかになる。
【００２１】
また、本発明に係る画像処理装置を利用した空間内面形状の計測装置によれば、上述した画像処理装置が有する有利な効果を用いて、特に、明るい場所に存在する空間内面形状を適切に計測することができる。
【図面の簡単な説明】
【００２２】
【図１】本発明の実施形態に係る画像処理装置の構成を示すブロック図。
【図２】本発明の実施形態に係る画像処理装置で行う画像処理のフローチャート。
【図３】波長とスペクトル三刺激値の関係（等色関数）の説明図。
【図４】波長と色相の関係を示す説明図。
【図５】波長と彩度の関係を示す説明図。
【図６】色相のフィルタ関数の一例を示す説明図。
【図７】彩度のフィルタ関数の一例を示す説明図。
【図８】本発明の実施形態に係る空間内面形状の計測装置の主要部を示す説明図。
【図９】本発明の実施形態に係る空間内面形状の計測装置で用いる測定手段を示す模式図。
【図１０】本発明の実施形態に係る空間内面形状の計測装置の使用例（１）を示す模式図。
【図１１】本発明の実施形態に係る空間内面形状の計測装置の使用例（２）を示す模式図。
【発明を実施するための形態】
【００２３】
以下、図面を参照して、本発明の実施形態に係る画像処理装置及びこれを利用した空間内面形状の計測装置を説明する。図１〜図７は本発明の実施形態に係る画像処理装置を説明するもので、図１は画像処理装置のブロック図、図２は画像処理のフローチャート、図３は波長とスペクトル三刺激値の関係（等色関数）の説明図、図４は波長と色相の関係を示す説明図、図５は波長と彩度の関係を示す説明図、図６は色相のフィルタ関数の一例を示す説明図、図７は彩度のフィルタ関数の一例を示す説明図である。
【００２４】
また、図８〜図１１は、本発明の実施形態に係る画像処理装置を利用した空間内面形状の計測装置を説明するもので、図８は空間内面形状の計測装置の主要部を示す説明図、図９は測定手段を示す模式図、図１０及び図１１は空間内面形状の計測装置の使用例を示す模式図である。
【００２５】
＜画像処理装置の概要＞
本発明の実施形態に係る画像処理装置２００は、撮影画像に含まれる可視光線であるレーザー光から特定波長帯のレーザー光を抽出するための装置であり、図１に示すように、撮像手段２１０と、ＲＧＢ画像認識手段２２０と、ＨＳＶ変換手段２３０と、フィルタ手段２４０とを備えている。各手段は、それぞれの作用を奏するための装置と、コンピュータ及びその付属装置であるハードウェアと協働することにより機能を発揮するソフトウェアとからなる。
【００２６】
＜撮像手段＞
撮像手段２１０は、物体に照射され、当該物体から反射してきた可視光線であるレーザー光の光像を撮像するための手段であり、例えばＣＣＤカメラ４１からなる。ＣＣＤカメラ４１については後に詳述するが、レンズ系及び撮像素子を主要な構成要素とする。
【００２７】
＜ＲＧＢ画像認識手段＞
ＲＧＢ画像認識手段２２０は、撮像手段２１０により撮像したレーザー光の光像をＲＧＢ画像として認識するための手段であり、例えば、撮像素子により形成したレーザー光の光像をＲＧＢ画像として認識するための機器及びプログラムからなる。
【００２８】
＜ＨＳＶ変換手段＞
ＨＳＶ変換手段２３０は、認識したＲＧＢ画像を色相、彩度、明度に変換するための手段であり、例えば、認識したＲＧＢ画像に対して演算処理を行うことにより、色相、彩度、明度を数値化するための機器及びプログラムからなる。
【００２９】
＜フィルタ手段＞
フィルタ手段２４０は変換した明度に対して、特定の波長帯にあるレーザー光を抽出するためのフィルタ関数を適用するための手段であり、例えば、演算処理により、特定の波長帯にあるレーザー光のみを取り出すプログラムからなる。この場合、フィルタ関数の設定により、ガウジアンフィルタを実現することができる。
【００３０】
＜画像処理の手順＞
本発明の実施形態に係る画像処理装置２００では、図２に示すように、撮像手段２１０により取得したレーザー光の光像に対して、ＲＧＢ画像認識手段２２０の機能により元画像（ＲＧＢ値）を認識し（Ｓ１）、ＨＳＶ変換手段２３０によりＨＳＶ値へ変換する（Ｓ２）。続いて、フィルタ手段２４０によりフィルタリング（画像処理）を行う（Ｓ４）。フィルタリングしたレーザー光は、ＲＧＢ値へ再変換し（Ｓ４）、所望のレーザー画像（ＲＧＢ値）とする（Ｓ５）。このような一連の処理を行うことにより、特定の波長帯にあるレーザー光を抽出することができる。
【００３１】
＜画像処理装置における画像処理の原理＞
以下、図３〜図７を参照して、本発明の実施形態に係る画像処理装置２００の原理を説明する。
【００３２】
半導体レーザーは、特定波長の光を増幅して照射する装置であり、可視光線の場合にはその波長帯によって半導体レーザーの色が決まることになる。ＣＩＥ（国際照明学会）は、光の三原色ＲＧＢ（Ｒｅｄ：７００ｎｍ、Ｇｒｅｅｎ：５４６．１ｎｍ、Ｂｌｕｅ：４３５．８ｎｍ）を基準として、図３に示すような可視光線スペクトルのＸＹＺ表色系（スペクトル三刺激値）を制定しており、これを用いることで各波長帯における半導体レーザーの色相（Ｈｕｅ）と彩度（Ｓａｔｕｒａｔｉｏｎ）を求めることができる。
【００３３】
図４及び図５に、波長と色相Ｈと、彩度Ｓの関係を示す。例えば、緑色半導体レーザー（波長５２０ｎｍ）の場合、図４及び図５から色相は１３０度前後、彩度は０．９前後であることがわかる。ＣＣＤカメラ等で撮影した画像に対して、この半導体レーザーの色相Ｈ0および彩度Ｓ0と合致する部分を画像処理により抽出することで、リングビームの光セクショニング形状画像を得ることができる。
【００３４】
ＣＣＤカメラ等で撮影したデジタル画像（Ｂｉｔｍａｐ、Ｊｐｅｇ等）は、基本的にＲＧＢ値で表されるデータであるため、このままでは色相Ｈや彩度Ｓで取り扱うことができない。そこで、デジタル画像の各ピクセルのＲＧＢ値をＨＳＶ値に変換する。まず、各ピクセルのＲＧＢ値に対して、最大値ＭＡＸおよび最小値ＭＩＮを次式（１）のように規定する。
【００３５】
【数１】
2020112844.tif 000003
【００３６】
上記式（１)に示した最大値ＭＡＸおよび最小値ＭＩＮを用いると、色相Ｈは各ピクセルのＲＧＢ値から次式（２）が求められる。
【００３７】
【数２】
2020112844.tif 000004
【００３８】
また、彩度Ｓは最大値ＭＡＸおよび最小値ＭＩＮを用いて次式（３）が求められる。
【００３９】
【数３】
2020112844.tif 000005
【００４０】
明度Ｖついては、次式（４）のように、ＲＧＢの最大値ＭＡＸで表される。
【００４１】
【数４】
2020112844.tif 000006
【００４２】
なお、以上のようなＲＧＢ値からＨＳＶ値への変換は、直交座標系から円柱座標系への変換を意味する。
【００４３】
次に、ＨＳＶ値に変換した画像に、半導体レーザーを抽出するためにフィルタリング処理を行う。ここでは、色相のフィルタ関数ｆ(H)、彩度のフィルタ関数ｆ(S)を次式（５）及び次式（６）のように定義する。
【００４４】
【数５】
2020112844.tif 000007
【００４５】
【数６】
2020112844.tif 000008
【００４６】
ＩHはフィルタ関数ｆ(H)の最大強度、σHはフィルタ関数ｆ(H)の半値幅、Ｈは各ピクセルの色相、Ｈ0は対象とする半導体レーザーの色相である。また、ＩSはフィルタ関数ｆ(S)の最大強度、σSはフィルタ関数ｆ(S)の半値幅、Ｓは各ピクセルの彩度、Ｓ0は対象とする半導体レーザーの彩度である。なお、ｎはこれらのフィルタ関数の次数であり、ｎ＝２の場合はガウジアンフィルタとなり、ｎの値が大きくなるとバンドパスフィルタに漸近する。図６および図７にフィルタ関数の一例を示す。これらの色相および彩度のフィルタ関数ｆ(H)、ｆ(S)を、明度Ｖに掛けることで画像処理を行う（次式（７））。
【００４７】
【数７】
2020112844.tif 000009
【００４８】
上記式（７）に示したフィルタリングは、半導体レーザーに相当する色相Ｈ0および彩度Ｓ0付近以外の部分の明度をゼロにする画像処理であり、暗所で半導体レーザーのみを撮影することとほぼ等価な条件となる。
【００４９】
以上のような処理を施したＨＳＶ値を、再びデジタル画像の各ピクセルのＲＧＢ値に変換すると、上記式（１）に示した最大値ＭＡＸおよび最小値ＭＩＮは、次式（８）のように置き換えられる。
【００５０】
【数８】
2020112844.tif 000010
【００５１】
また、ＲＧＢ値は、これらの最大値ＭＡＸおよび最小値ＭＩＮを用いて、次式（９）のように求められる。
【００５２】
【数９】
2020112844.tif 000011
【００５３】
＜空間内面形状の計測装置への適用＞
上述した画像処理は、図８〜図１１に示す空間内面形状の計測装置に適用することができる。この空間内面形状の計測装置は、例えば、地下資源を採掘した後に放置された鉱山廃鉱の地下空洞や、廃棄された地下施設に適用できるが、特に明るい環境下に存在する空間の形状を迅速かつ正確に計測することにより、空洞充填工事を行う際に、充填材配合設計、充填材施工等を円滑に行うための装置である。
【００５４】
本発明の実施形態に係る空間内面形状の計測装置は、測定手段と、位置検出手段と、収容手段と、移動手段と、形状演算手段とを備えている。この計測装置は、種々の態様からなる空間内面形状を計測するための装置であり、以下に例を挙げて説明する地盤内に存在する空洞の内面形状だけではなく、トンネル、貯水タンク、下水管等の空間内面形状を計測することができる。
【００５５】
＜収容手段＞
本実施形態の空間内面形状の計測装置１０は、図８及び図９に示すように、収容手段として、透光性を有するアクリル製の筒状体１００を用いている。そして、筒状体１００の内部に、測定手段２０と、位置検出手段として機能する３Ｄモーションセンサー３０を収容する。なお、計測対象が地下空間である場合には、地下水が存在し、あるいは湿度が高いことが考えられる。この場合、筒状体１００の内部に収容した照射部６０から、空間内面に向かってレーザー光を照射するため、筒状体１００内に地下水が浸入したり、結露が生じたりしないようにする必要がある。このため、筒状体１００の上部及び下部において十分なシールを行って地下水の浸入を防止し、さらに、筒状体１００の内部を略真空状態として結露を防止することが好ましい。
【００５６】
＜測定手段＞
測定手段２０は、撮像素子４０の撮像面にレーザー光像を結像させるための広角レンズ５０と、空間内面に対して円環状にレーザー光を照射する照射部６０とを備えている。各部材等については、後に詳述する。
【００５７】
＜位置検出手段＞
本実施形態の位置検出手段は、３Ｄモーションセンサー３０からなる。３Ｄモーションセンサー３０は、例えば、互いに直行する３軸方向の傾きを検知するジャイロセンサー、加速度センサー、地磁気センサーを備えており、収容手段の位置情報を取得するようになっている。なお、位置検出手段は、どのような構成の機器であってもよく、赤外光を用いて位置を検出する装置、ＧＰＳを用いて位置を検出する装置等、計測対象となる空間に合わせて適宜選択することができる。
【００５８】
＜撮像素子＞
撮像素子４０は、撮像手段２１０の構成要素であり、一般的に市販されているＣＣＤカメラ４１が備えているものを利用することができる。ＣＣＤカメラ４１は、撮像素子４０として、ＣＣＤセンサーやＣＭＯＳセンサーを備えており、撮像素子４０の撮像面に結像した物体像を光電変換して画像データを得ることができる。撮像素子４０から出力された画像データは、信号ケーブル７０を介してコンピューター８０に入力される。また、ＣＣＤカメラ４１を利用する場合には、撮像光学系（広角レンズ５０）の画角を調整するため、レンズ交換可能なものを使用することが好ましい。
【００５９】
＜結像レンズ＞
本実施形態の空間内面形状の計測装置１０は、空間内面に形成されたレーザー光像を撮像面に結像させるためのレンズ系であり、本実施形態では広角レンズ５０を用いている。レーザー光の照射部６０と、空間内面に形成されたレーザー光像を撮像面に結像させるためのレンズ系とは、同一位置に設置することはできず、離隔して設ける必要がある。この際、レンズ系の画角が大きいほど照射部６０とレンズ系とを近接させることができる。広角レンズ５０の画角は、計測対象となる空間内面との距離、筒状体１００の許容長さ等に応じて設定する。なお、本発明における広角レンズ５０は、いわゆる標準レンズに対して画角が大きいことを意味するものであり、狭義の広角レンズだけではなく、魚眼レンズも含んでいる。
【００６０】
＜照射部＞
照射部６０は、図９に示すように、レーザーダイオード等からなる発光素子６１と、発光素子６１から発射されたレーザー光を反射して円環状に照射する円錐ミラー６２（又は円錐プリズム）とにより構成する。このような構成を備えた計測装置１０は、空間内面に沿ってレーザー光を円周方向に走査する必要がなく、照射部６０の構造が単純なものとなるばかりでなく、計測時間を短縮することができる。
【００６１】
さらに詳細に説明すると、図９に示すように、発光素子６１にはレーザー駆動回路６３が接続されている。レーザー駆動回路６３は、コンピューター８０からの駆動信号により駆動され、発光素子６１からレーザー光を発射する。発光素子６１から発射されたレーザー光は、円錐ミラー６２等により反射され、空間内面において円環状の光リング９０を形成する。そして、広角レンズ５０を装着したＣＣＤカメラ４１により、光リング９０を撮影する。撮像素子４０の撮像面に結像したレーザー光像は、イメージプロセッサー６４を介してコンピューター８０に入力される。なお、図９に示すように、測定手段２０及び３Ｄモーションセンサー３０とコンピューター８０とは、信号ケーブル７０により電気的に接続されている。
【００６２】
また、本実施形態の照射部６０は、筒状体１００内に収容したバッテリ６５により駆動される。これにより、筒状体１００内に余分なケーブルが存在しなくなり、ＣＣＤカメラ４１により光リング９０を撮影する際に、画像内にケーブルが映り込むことがない。
【００６３】
＜移動手段＞
移動手段は、照射部６０、広角レンズ５０、撮像素子４０からなる測定手段２０と、３Ｄモーションセンサー３０からなる位置検出手段とを収容した筒状体１００（収容手段）を、計測対象となる空間に対して移動させるための装置である。この移動手段は、筒状体１００（収容手段）を移動させることができれば、どのような構成であってもよい。
【００６４】
例えば、筒状体１００を鉛直方向に移動させる場合には、筒状体１００の上部に接続したワイヤー１１１と、当該ワイヤー１１１を繰り出し、あるいは巻き取ることにより筒状体１００を上下動させるウインチ１１２等により移動手段を構成する。図１０に示す計測装置の使用例（１）では、地表面から地下空間に達するボーリング孔１２１の上部に、やぐら１２２を組み立てて、このやぐら１２２に滑車１２３を吊り下げ、滑車１２３にワイヤー１１１を掛け渡して、ウインチ１１２により、筒状体１００の上部に接続したワイヤー１１１を繰り出し、あるいは巻き取るようになっている。
【００６５】
また、図１１に示す計測装置の使用例（２）では、地表に開口した空間の上部を跨ぐようにして、支持レール１３１を掛け渡し、この支持レール１３１により筒状体１００を支持し、ウォームギア、モータ等の駆動手段（図示せず）を用いて、支持レール１３１で支持した筒状体１００を移動させるようになっている。
【００６６】
また、図１１（Ａ）、図１１（Ｂ）に示すように、筒状体１００（収容手段）の移動方向に対して、照射部６０と広角レンズ５０との位置関係が入れ替わるようにして筒状体１００（収容手段）を移動させることにより、測定不能な領域（死角）がなくなり、当該計測対象となる空間のほぼ全域の空間内面形状を計測することができる。
【００６７】
＜形状演算手段＞
形状演算手段８１は、測定手段２０及び３Ｄモーションセンサー３０からの計測信号を受信して、所定の演算処理を行うことにより空間内面の形状を求めるためのプログラムからなり、上述した画像処理装置の機能を利用して空間内面の形状を求めるようになっている。例えばコンピューター８０に形状演算プログラムをインストールし、ＣＰＵ等のハードウェアが形状演算プログラムの命令に従って動作することにより、形状演算手段８１の機能が発揮され、この際、画像処理装置の機能が利用される。また、形状演算手段８１は、形状演算プログラムに相当する論理回路により構成することもできる。
【００６８】
上述したように、発光素子６１から発射したレーザー光を円錐ミラー６２等で反射して、空間内面に円環状に照射することにより、レーザー光像（光リング９０）が形成され、この円環状のレーザー光像（光リング９０）を広角レンズ５０により撮像素子４０の撮像面上に結像させることにより、レーザー光像のイメージ情報を得ることができる。形状演算プログラムは、基本的な演算処理として、取得したイメージ情報と、その移動距離とに基づいて、空間内面の形状データ（断面形状データ）を取得することができる。また、測定手段２０の移動速度、発光素子６１におけるレーザー光の出射角度、広角レンズ５０の画角等、種々のパラメータを設定することにより、一層正確に空間内面の形状を演算することができる。
【００６９】
具体的には、発光素子６１から円錐ミラー６２等を介して空間内面に照射された円環状のレーザー光により帯状の断面線（光切断面／光リング９０）が形成される。そして、広角レンズ５０により、断面線（光切断面／光リング９０）を撮像素子４０の撮像面に結像させ、空間内面に形成された座標を算出し、算出した座標データに基づいて断面線（光切断面／光リング９０）の形状データを得ることができる。そして、測定手段２０を、空間内面の所定方向に沿って移動させることにより、断面線（光切断面／光リング９０）が空間内面の所定方向に連なり、空間内面の全体にわたって形状を計測することができる。なお、円周方向及び空間内面の所定方向における撮像間隔は、空間の内径や要求される計測精度等に応じて適宜設定することができる。
【００７０】
＜表示手段＞
形状演算手段８１における演算結果は、表示手段１４０により表示することができる。この表示手段１４０は、例えば、コンピューター８０に付帯した液晶ディスプレイにより構成することができる。すなわち、形状演算手段８１における演算結果（空間内面の形状）は、液晶ディスプレイの表示画面に表示される。また、プリンタ等の印刷手段により、演算結果（空間内面の形状）を印刷してもよい。さらに、空間内面の形状を表示又は印刷する場合に、立体表示することにより、空間内面の形状を直感的に認識することができる。
【００７１】
＜画像処理装置の他の適用例＞
本発明に係る画像処理装置は、空間内面形状の計測装置以外にも適用することができる。すなわち、本発明に係る画像処理装置は、例えば、浅層混合処理土のセメント混合状態の評価や、タイル引張試験における接着剤破断面積の評価にも適用することができる。
【００７２】
＜浅層混合処理土のセメント混合状態の評価＞
トラフィカビリティの改善等を目的に実施される浅層混合処理では、セメントをバックホウなどの重機で攪拌するが、適切に混合されているか否かの評価が難しい。そこで、本発明に係る画像処理装置を用いて浅層混合処理土のセメント混合状態の評価を行うことにより、混合状態を適切に評価することができる。
【００７３】
浅層混合処理土のセメント混合状態を評価するには、セメントを混合したサンプルにフェノールフタレインを塗布する。そして、当該サンプルにレーザー光を照射して、反射してきた可視光線であるレーザー光の光像を撮像する。続いて、撮像したレーザー光の光像をＲＧＢ画像として認識して、認識したＲＧＢ画像を色相、彩度、明度に変換し、変換した明度に対して、フェノールフタレインの波長帯にあるレーザー光を抽出して、色の濃淡により混合状態の評価を行う。このような適用例では、セメントを混合したサンプルが十分攪拌されると、色の濃淡が正規分布に近づくため、混合状態を定量的に評価することが可能となる。
【００７４】
＜タイル引張試験における接着剤破断面積の評価＞
外壁タイルの接着基準は、タイル引張試験を実施した際のタイルと壁の接着剤の破断面積５０％となっている。タイル引張試験における接着剤破断面積を評価するには、タイル面に残っている接着剤の破断面にレーザー光を照射して、反射してきた可視光線であるレーザー光の光像を撮像する。続いて、撮像したレーザー光の光像をＲＧＢ画像として認識して、認識したＲＧＢ画像を色相、彩度、明度に変換し、変換した明度に対して、接着剤の波長帯にあるレーザー光を抽出して、色の濃淡により接着剤は断面積の評価を行う。このような適用例では、タイル面に残っている接着剤の破断面の面積を計算することにより、接着剤破断面積を簡易に評価することが可能となる。
【符号の説明】
【００７５】
１０  計測装置
２０  測定手段
３０  ３Ｄモーションセンサー
４０  撮像素子
４１  ＣＣＤカメラ
５０  広角レンズ
６０  照射部
６１  発光素子
６２  円錐ミラー
６３  レーザー駆動回路
６４  イメージプロセッサー
６５  バッテリ
７０  信号ケーブル
８０  コンピューター
８１  形状演算手段
９０  光リング
１００  筒状体
１１１  ワイヤー
１１２  ウインチ
１２１  ボーリング孔
１２２  やぐら
１２３  滑車
１３１  支持レール
１４０  表示手段
２００  画像処理装置
２１０  撮像手段
２２０  ＲＧＢ画像認識手段
２３０  ＨＳＶ変換手段
２４０  フィルタ手段
【図１】
2020112844.tif 000012
【図２】
2020112844.tif 000013
【図３】
2020112844.tif 000014
【図４】
2020112844.tif 000015
【図５】
2020112844.tif 000016
【図６】
2020112844.tif 000017
【図７】
2020112844.tif 000018
【図８】
2020112844.tif 000019
【図９】
2020112844.tif 000020
【図１０】
2020112844.tif 000021
【図１１】
2020112844.tif 000022